(57)【特許請求の範囲】
【請求項１】
光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行う記録装置において、予め各光記録媒体の種類毎に当該種類の光記録媒体の各半径位置における、ジッター、変調度、及びβについての許容記録パワー範囲を求め、該許容記録パワー範囲に基づき、記録パワーの補正値を設定して、該記録装置の不揮発性メモリに記録し、当該記録した記録パワーの補正値に基づいて、当該光記録媒体の半径位置で前記記録パワーを補正して記録することを特徴とする記録装置。
【請求項２】
光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行う記録装置を用いる記録方法において、予め各光記録媒体の種類毎に当該種類の光記録媒体の各半径位置における、ジッター、変調度、及びβについての許容記録パワー範囲を求め、該許容記録パワー範囲に基づき、記録パワーの補正値を設定して、該記録装置の不揮発性メモリに記録し、当該設定した記録パワーの補正値に基づいて、当該光記録媒体の半径位置で前記記録パワーを補正して記録することを特徴とする記録方法。
【発明の詳細な説明】
【０００１】
【発明の属する技術分野】
本発明は、光記録媒体記録装置、光記録媒体記録方法及び光記録媒体に関し、詳細には、半径方向で記録特性の均一性の悪い光記録媒体に各半径位置で適切な記録パワーで記録する記録装置、記録方法及び光記録媒体に関する。
【０００２】
【従来の技術】
光記録媒体は、ＣＤ（Compact Disc）に代表されるように、広く世の中に普及しており、近年、情報量の増大に伴い高密度かつ高速で大量のデータを記録・再生可能なＣＤ−Ｒ（Compact Disc Recordable；追記型ＣＤ ）やＣＤ−ＲＷ（Compact Disc Rewritable；書換可能型ＣＤ）及びＤＶＤ（Digital Video Disk）が、急速な勢いで普及してきている。
【０００３】
このように、光記録媒体が急速に普及してきているのは、市販の光記録媒体記録装置及び光記録媒体の低価格化や市販の光記録媒体記録装置を用いてユーザが好きなデータを多量に書き込むことができ、また、記録した光記録媒体を、既に一般に普及しているＣＤプレーヤやＤＶＤプレーヤで再生することができることによる。
【０００４】
したがって、光記録媒体記録装置で記録後された信号は、ＣＤ・ＤＶＤ規格に準拠している必要があり、最近になって急速に、高線速度で記録する光記録媒体記録装置が多数出現し、光記録媒体も高速記録に対応したものが市販されるようになってきている。
【０００５】
そして、光記録媒体記録装置においては、光記録媒体やプレーヤのレーザダイオード等の光源の経時劣化及びゴミ付着に伴う感度変化、発光パワー変化等を補正して最適な条件で情報を記録する必要がある。そこで、従来、光記録媒体の最内周部のテスト記録領域（試書き領域）でレーザダイオードの記録パワーを段階的に変化させて情報を試書きし、その後テスト記録領域（パワーキャリブレーション領域；ＰＣＡ領域）から情報を再生して再生信号の状態から最適な記録条件（記録パワーのキャリブレーション）を求め、以後は、情報を光記録媒体のデータ領域にその求めた最適な記録条件で記録させる方式が用いられてきている。
【０００６】
現在、記録可能なＣＤ系光記録媒体（例えば、ＣＤ−Ｒ）では、実質的に標準であるオレンジブック規格にある内周での試書きが行われている。また、オレンジブック規格では、Ｒｕｎｎｉｎｇ−ＯＰＣといわれる記録時の光ディスク反射光を検出して記録マークの生成状態を観察し、最適な記録状態を保つ方式が提案されている。
【０００７】
そして、本出願人は、先に、光記録媒体の記録パワーの設定に関して、光記録媒体内の数箇所でパワーキャリブレーションを行い、各領域でパワーを変えて記録を行う試書き方法及び記録再生装置（特開平８−３３９５４１号公報参照）及び光記録媒体の内周部と外周部でパワーキャリブレーションを行い、その結果を用いて、全面記録を行う試書き方法及び記録再生装置（特開平０７−０５７２６号公報参照）を提案している。
【０００８】
また、従来、光記録媒体内の数箇所でパワーキャリブレーションを行い、最適記録パワーの平均値で、全面記録を行う光ディスクドライブ装置（特開２００１−０６０３２０号公報参照）が提案されている。
【０００９】
【発明が解決しようとする課題】
しかしながら、このような従来の技術にあっては、最適な記録パワーで記録を行う上で改良の必要があった。
【００１０】
すなわち、高速で記録する場合、低速記録のときに比較して、記録パワーに対するジッター、変調度等の項目特性のマージンが狭くなっており、また、記録パワーの設定精度も低下している。
【００１１】
光記録媒体側（メディア側）においても、近年のメディアの低価格化に伴い、コストダウンを行う必要があり、その結果として、メディアの品質低下、特に、メディアの半径方向での均一性の悪化が発生している。
【００１２】
さらに、従来の光記録媒体記録装置は、上述のように、最内周部で記録パワーの最適化を行っているが、半径方向の均一性が悪化している光記録媒体の場合、外周部での特性悪化が発生する可能性がある。この場合、低速記録では、記録特性に十分なマージンがあったため問題は発生しなかったが、高速記録では、十分なマージンを得ることができないため、記録した光記録媒体の特性が悪く、再生エラー等の不具合が発生することがあった。
【００１３】
そこで、請求項１記載の発明は、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行うに際して、予め各光記録媒体の種類毎に当該種類の光記録媒体の各半径位置における、ジッター、変調度、及びβについての許容記録パワー範囲を求め、該許容記録パワー範囲に基づき、記録パワーの補正値を設定して、該記録装置の不揮発性メモリに記録し、当該記録した記録パワーの補正値に基づいて、当該光記録媒体の半径位置で記録パワーを補正して記録することにより、半径方向で記録感度、記録特性マージンの均一性の悪い光記録媒体に対して、より広い記録パワーマージンで記録するとともに、各半径位置で最適な記録パワーで記録する記録装置を提供することを目的としている。
【００１４】
請求項２記載の発明は、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行うに際して、予め各光記録媒体の種類毎に当該種類の光記録媒体の各半径位置における、ジッター、変調度、及びβについての許容記録パワー範囲を求め、該許容記録パワー範囲に基づき、記録パワーの補正値を設定して、該記録装置の不揮発性メモリに記録し、当該設定した記録パワーの補正値に基づいて、当該光記録媒体の半径位置で記録パワーを補正して記録することにより、半径方向で記録感度、記録特性マージンの均一性の悪い光記録媒体に対して、より広い記録パワーマージンで記録するとともに、各半径位置で最適な記録パワーで記録する記録方法を提供することを目的としている。
【００１６】
【課題を解決するための手段】
請求項１記載の発明の記録装置は、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行う記録装置において、予め各光記録媒体の種類毎に当該種類の光記録媒体の各半径位置における、ジッター、変調度、及びβについての許容記録パワー範囲を求め、該許容記録パワー範囲に基づき、記録パワーの補正値を設定して、該記録装置の不揮発性メモリに記録し、当該記録した記録パワーの補正値に基づいて、当該光記録媒体の半径位置で前記記録パワーを補正して記録することにより、上記目的を達成している。
【００１７】
上記構成によれば、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行うに際して、予め各光記録媒体の種類毎に当該種類の光記録媒体の各半径位置における、ジッター、変調度、及びβについての許容記録パワー範囲を求め、該許容記録パワー範囲に基づき、記録パワーの補正値を設定して、該記録装置の不揮発性メモリに記録し、当該記録した記録パワーの補正値に基づいて、当該光記録媒体の半径位置で記録パワーを補正して記録するので、半径方向で記録感度、記録特性マージンの均一性の悪い光記録媒体に対して、より広い記録パワーマージンで記録することができるとともに、各半径位置で最適な記録パワーで記録することができる。
【００１８】
請求項２記載の発明の記録方法は、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行う記録装置を用いる記録方法において、予め各光記録媒体の種類毎に当該種類の光記録媒体の各半径位置における、ジッター、変調度、及びβについての許容記録パワー範囲を求め、該許容記録パワー範囲に基づき、記録パワーの補正値を設定して、該記録装置の不揮発性メモリに記録し、当該設定した記録パワーの補正値に基づいて、当該光記録媒体の半径位置で前記記録パワーを補正して記録することにより、上記目的を達成している。
【００１９】
上記構成によれば、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行うに際して、予め各光記録媒体の種類毎に当該種類の光記録媒体の各半径位置における、ジッター、変調度、及びβについての許容記録パワー範囲を求め、該許容記録パワー範囲に基づき、記録パワーの補正値を設定して、該記録装置の不揮発性メモリに記録し、当該設定した記録パワーの補正値に基づいて、当該光記録媒体の半径位置で記録パワーを補正して記録するので、半径方向で記録感度、記録特性マージンの均一性の悪い光記録媒体に対して、より広い記録パワーマージンで記録することができるとともに、各半径位置で最適な記録パワーで記録することができる。
【００２２】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２３】
図１〜図４は、本発明の光記録媒体記録装置、光記録媒体記録方法及び光記録媒体の一実施の形態を示す図であり、図１は、本発明の記録装置、記録方法及び光記録媒体の一実施の形態を適用した記録装置１の概略構成図である。
【００２４】
図１において、記録装置１は、回転駆動系２、回転制御系３、ドライブコントローラ４、不揮発性メモリ５、光ピックアップ６、ＬＤ制御系７、モータ制御系８及び信号処理系９等を備えており、回転駆動系２の図示しないターンテーブル上に、記録対象の光記録媒体である光ディスク１０が載置される。
【００２５】
回転制御系３は、ドライブコントローラ４の制御下で、回転駆動系２を駆動制御して、回転駆動系２のターンテーブル上に載置された光ディスク１０を所定の高線速度で回転駆動させる。
【００２６】
光ピックアップ６は、光ディスク１０の半径方向に移動可能に配設されており、光ピックアップ６には、ＬＤ（レーザダイオード）と当該ＬＤを駆動するドライバ及び光ディスク１０からの反射光を受光して電気信号に変換する受光部等を搭載している。
【００２７】
ＬＤ制御系７は、ドライブコントローラ４の制御下で、光ピックアップ６のＬＤの駆動を制御する。
【００２８】
モータ制御系８は、ドライブコントローラ４の制御下で、光ピックアップ６を光ディスク１０の半径方向に移動させる。
【００２９】
信号処理系９は、光ピックアップ６の受光部が受光して変換した信号に各種信号処理を施してドライブコントローラ４に出力する。
【００３０】
不揮発性メモリ５は、予め各種の光ピックアップ６の記録感度・記録特性の内外差を調べ、最内周の記録パワーに対して、各半径でどの程度記録パワー補正をする必要があるかの補正データを記憶する。
【００３１】
ドライブコントローラ４は、記録装置１の各部を制御して、回転駆動系２のターンテーブル上にセットされた光ディスク１０を回転制御系３を介して回転駆動して、モータ制御系８を介して光ピックアップ６を光ディスク１０の半径方向に移動させつつ、後述する記録パワー設定制御処理に基づいてＬＤ制御系７を制御し、光ピックアップ１０の記録パワー及ぶ記録パルスを制御して、光ディスク１０に情報の記録を行う。
【００３２】
そして、光ディスク（光記録媒体）１０は、図２に示すように、内周側から外周側へ、ＰＣＡ領域（パワーキャリブレーション領域）１１、ＴＯＣ（Table of contents ）領域１２、情報領域（Information 領域）１３、リードアウト（Lead-out）領域１４が形成されており、最内周部にＰＣＡ領域１１が設けられて、内周側から外周側に向かってＴＯＣ領域１２、情報領域１３及びリードアウト領域１４からなる光ディスク情報記録領域１５に光ディスク情報が記録される。
【００３３】
次に、本実施の形態の作用を説明する。本実施の形態の記録装置１は、情報の記録を行う光ディスク１０の半径方向で記録パワーを調整して、情報の記録を行う。
【００３４】
すなわち、通常、光ディスク１０に情報の記録を行う場合、まず、最内周部のテスト記録領域であるＰＣＡ領域１１で光ピックアップ６の記録パワーを振って記録を行い、記録パワーのキャリブレーションを行う。通常、記録には、下記の２つの方法が用いられる。
【００３５】
▲１▼Ｒｕｎｎｉｎｇ−ＯＰＣをＯＮにして記録を行うＲｕｎｎｉｎｇ−ＯＰＣ記録方法と▲２▼Ｒｕｎｎｉｎｇ−ＯＰＣをＯＦＦにして記録を行う非Ｒｕｎｎｉｎｇ−ＯＰＣ記録方法がある。
【００３６】
Ｒｕｎｎｉｎｇ−ＯＰＣ記録方法は、上記記録パワーのキャリブレーションにおいて、記録中の反射光強さと記録後のβの関係を求めて、狙いのβ値が得られる反射光強さを設定し、この設定した反射光強さとなるように、記録パワーを調整しながら、光ディスク情報記録領域１５の記録を行う方法である。
【００３７】
非Ｒｕｎｎｉｎｇ−ＯＰＣ記録方法は、上記記録パワーのキャリブレーションにおいて、記録パワーと記録後のβの関係を求めて、狙いのβ値が得られる記録パワーを設定し、設定された記録パワーで、光ディスク情報記録領域１５の記録を行う方法である。
【００３８】
通常、光記録媒体記録装置は、光ディスク１０の記録を、内外で均一に記録することのできるＲｕｎｎｉｎｇ−ＯＰＣ記録方法を用いて記録を行う。
【００３９】
しかし、高速記録においては、Ｒｕｎｎｉｎｇ−ＯＰＣを精度良く行うことは光記録媒体記録装置の回路上困難であり、光記録媒体記録装置によっては、Ｒｕｎｎｉｎｇ−ＯＰＣを用いない非Ｒｕｎｎｉｎｇ−ＯＰＣ記録方法で記録を行う。
【００４０】
このＲｕｎｎｉｎｇ−ＯＰＣを用いない非Ｒｕｎｎｉｎｇ−ＯＰＣ記録方法では、最内周で設定した記録パワーで、全面を記録することになるため、記録感度・記録特性に内外差のある光ディスク１０に対しては適していない記録方法である。
【００４１】
この光ディスク１０によって記録感度・記録特性の内外差が発生する原因としては、光ディスク１０の基板に刻み込まれた案内溝の溝形状、基板の光学特性（複屈折）、光ディスク１０の機械特性、光ディスク１０に形成されている記録層・反射層・保護層の各層の膜厚分布等が原因として考えられる。
【００４２】
そして、光ディスク１０側においても、これらの項目は管理しているため、光ディスク１０の記録感度・記録特性の内外差は、光ディスク１０のロット差よりも、光ディスク１０の種類に依存する傾向にある。
【００４３】
そこで、本実施の形態の記録装置１は、Ｒｕｎｎｉｎｇ−ＯＰＣを用いない（ＯＦＦ）で記録するとともに、記録感度・記録特性に内外差のある光ディスク１０でも、各半径で最適な記録パワーで記録を行う。
【００４４】
そのために、本実施の形態の記録装置１は、予め、各種の光ディスク１０の記録感度・記録特性内外差を調べ、最内周の記録パワーに対して、各半径でどの程度記録パワー補正をする必要があるかの補正データを不揮発性メモリ５に記憶している。
【００４５】
この補正データとしては、例えば、図３に示すように、各種類の光ディスク１０の半径位置毎に、当該光ディスク１０の種類に対して記録特性が最適化される記録パワーＰｏと、当該記録パワーＰｏを評価して求められた補正パワーΔＰが、光ディスク１０の各種類毎に、不揮発性メモリ５に記録されている。
【００４６】
そして、記録装置１は、光ディスク１０が装着されると、光ディスク１０の情報を読み取って、どのタイプ（種類）の光ディスク１０であるかを認識し、当該認識した光ディスク１０の種類に対して、不揮発性メモリ５に格納されている各半径位置での補正パワーΔＰに基づいて、記録パワーＰｏの補正を行って、記録を行う。
【００４７】
具体的には、記録装置１は、図４に示すように、記録装置１（図４では、ドライブと表示）に光ディスク１０（図４では、メディアと表示）が挿入されると（ステップＳ１０１）、当該光ディスク１０に記録されている情報を読み取って、光ディスク１０の種類（タイプ）を認識する（ステップＳ１０２）。
【００４８】
次に、記録装置１は、光ディスク１０の最内周部のＰＣＡ領域１１で記録パワーキャリブレーションを行い、記録パワーＰｏを設定する（ステップＳ１０３）。
【００４９】
一方、上述のように、記録装置１は、予め各光ディスク（メディア）１０の各半径で、最適な記録特性を得られる記録パワーを調査し（ステップＳ２０１）、各光ディスク１０の最内周部のＰＣＡ領域１１の最適記録パワーに対して、各半径位置での補正パワーを求める（ステップＳ２０２）。記録装置１は、この求めた補正パワーを、図３に示したように、不揮発性メモリ５に記憶させている（ステップＳ２０３）。
【００５０】
そして、記録装置１は、ステップＳ１０３で設定した記録パワーＰｏを、ステップＳ２０３で格納している不揮発性メモリ５内の当該光ディスク１０の種類に対応した補正パワーΔＰで補正した記録パワーで、ＴＯＣ領域１２、情報領域１３及びリードアウト領域１４からなる光ディスク情報記録領域１５を記録する（ステップＳ１０４）。
【００５１】
例えば、例えば、光ディスク１０の内周部を、記録パワーＰｏで記録して、中周部を、Ｐｏ＋１ｍＷで記録し、外周部を、Ｐｏ＋２ｍＷで記録するような記録パワーの補正を行う。
【００５２】
このように、本実施の形態の記録装置１は、光ディスク１０の最内周のＰＣＡ領域１１で設定した記録パワーで、光ディスク１０の全面を記録する非Ｒｕｎｎｉｎｇ−ＯＰＣ記録方式で光ディスク１０に情報の記録を行うに際して、予め各光ディスク１０の種類毎に当該種類の光ディスク１０の記録感度・記録特性に応じた各半径位置での記録パワーの補正値を設定して不揮発性メモリ５記憶し、当該記憶した記録パワーの補正値に基づいて、光ディスク１０の半径位置で記録パワーを補正して記録している。
【００５３】
したがって、半径方向で記録感度、記録特性マージンの均一性の悪い光ディスク１０に対して、より広い記録パワーマージンで記録することができるとともに、各半径位置で最適な記録パワーで記録することができる。
【００５４】
また、本実施の形態の記録方法は、光ディスク１０の最内周のＰＣＡ領域１１で設定した記録パワーで、光ディスク１０の全面を記録する非Ｒｕｎｎｉｎｇ−ＯＰＣ記録方式で光ディスク１０に情報の記録を行うに際して、予め各光ディスク１０の種類毎に当該種類の光ディスク１０の記録感度・記録特性に応じた各半径位置での記録パワーの補正値を設定し、当該設定した記録パワーの補正値に基づいて、光ディスク１０の半径位置で記録パワーを補正して記録している。
【００５５】
したがって、半径方向で記録感度、記録特性マージンの均一性の悪い光ディスク１０に対して、より広い記録パワーマージンで記録することができるとともに、各半径位置で最適な記録パワーで記録することができる。
【００５６】
さらに、本実施の形態の光記録媒体である光ディスク１０は、最内周のＰＣＡ領域１１で設定された記録パワーで、全面を記録する非Ｒｕｎｎｉｎｇ−ＯＰＣ記録方式で情報の記録の行われる光ディスク１０であって、予め各光ディスク１０の種類毎に当該種類の光ディスク１０の記録感度・記録特性に応じた各半径位置での記録パワーの補正値を設定し、当該設定した記録パワーの補正値に基づいて、半径位置で記録パワーを補正して情報の記録が行われているいる。
【００５７】
したがって、半径方向で記録感度、記録特性マージンの均一性の悪い光ディスク１０に対して、より広い記録パワーマージンで記録が行われるとともに、各半径位置で最適な記録パワーで記録が行われ、記録品質を向上させることができる。
【００５８】
【実施例】
光記録媒体記録装置として、ＭＰ９２００ドライブ（リコー製）を使用し、光記録媒体として、ＣＤ−Ｒを用いて、上記実施例と同様に、１６ｘのＣＬＶ（一定線速度）で、ＣＤ−Ｒの内周、中周及び外周で記録パワーを変化させて情報の記録を行った。
【００５９】
このとき、ＣＤ−Ｒの内周、中周及び外周部の記録特性は、それぞれ半径位置２４ｍｍ、４０ｍｍ、５６ｍｍにおいて、図５から図７に示すようなものであり、ＰＣＡ（パワーキャリブレーション）領域は、半径２２．７ｍｍ部分であるので、内周部とほぼ同じ記録特性及び記録感度を示している。
【００６０】
そして、評価用光記録媒体として、基板溝形状、記録層膜厚分布を降って作成した３種類の光記録媒体を用い、案内溝が刻まれたポリカーボネート製基板上に、フタロシアンニン系色素の記録層を形成して、その上に、銀反射膜、保護層のＵＶ樹脂膜を順次形成している。
【００６１】
図５から図７では、記録パワーとジッター、変調度及びβの記録特性、記録感度の関係を示しており、内周部、中周部及び外周部で、記録パワーに対する記録特性、記録感度に違いがでていることが分かる。
【００６２】
したがって、光記録媒体の内周部、中周部及び外周部で、記録パワーを変えずに記録を行うと、設定可能な記録パワーの範囲が狭くなる。
【００６３】
他の２種の光記録媒体に対しても、同様の評価を行い、各特性（ジッター、変調度、β）が各半径位置で許容される（ＣＤ規格を満足する）記録パワーの範囲を調べたところ、図８に示すような結果であった。なお、ジッターマージンとは、３Ｔランドジッタが３５ｎｓ以下となる記録パワー範囲、変調度マージンとは、１１Ｔ変調度が６０％以上となる記録パワー範囲、βマージンとは、βが−１０〜＋１５となる記録パワー範囲、ディスクマージンとは、ジッター、１１Ｔ変調度、βが上記範囲を満足する記録パワー範囲である。
【００６４】
上記から、光記録媒体の内周部、中周部及び外周部で記録パワーに対する記録特性、記録感度に違いがあることが分かる。
【００６５】
このように内周部、中周部及び外周部で記録パワーに対する記録特性、記録感度に違いのある３種類の光記録媒体（メディアＡ、メディアＢ、メディアＣ）における各半径位置での補正記録パワーを求めると、図９に示すようになる。なお、図９において、Ｐｏは、ＰＡＣ領域及び内周部の最適記録パワーを示している。
【００６６】
このようにして設定した記録パワーＰｏと補正記録パワーΔＰを用いて上記ＭＰ９２００ドライブで３種類の光記録媒体（メディアＡ、メディアＢ、メディアＣ）を使用し、記録パワーの補正を行った場合と、従来のように記録パワーの補正を行わなかった場合とで、記録パワー設定可能領域範囲（内周領域）とその幅（パワーマージン量）を求めたところ、図１０に示すようになった。
【００６７】
図１０から分かるように、記録パワーの補正を行うと、記録パワーのマージン幅が大幅に広がる。
【００６８】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００６９】
【発明の効果】
請求項１記載の発明の記録装置によれば、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行うに際して、予め各光記録媒体の種類毎に当該種類の光記録媒体の記録感度・記録特性に応じた各半径位置での記録パワーの補正値を設定して記憶し、当該記憶した記録パワーの補正値に基づいて、当該光記録媒体の半径位置で記録パワーを補正して記録するので、半径方向で記録感度、記録特性マージンの均一性の悪い光記録媒体に対して、より広い記録パワーマージンで記録することができるとともに、各半径位置で最適な記録パワーで記録することができる。
【００７０】
請求項２記載の発明の記録方法によれば、光記録媒体の最内周のパワーキャリブレーション領域で設定した記録パワーで、当該光記録媒体の全面を記録する非Ｒｕｎｎｉｎｇ−ＯＰＣ記録方式で光記録媒体に情報の記録を行うに際して、予め各光記録媒体の種類毎に当該種類の光記録媒体の記録感度・記録特性に応じた各半径位置での記録パワーの補正値を設定し、当該設定した記録パワーの補正値に基づいて、当該光記録媒体の半径位置で記録パワーを補正して記録するので、半径方向で記録感度、記録特性マージンの均一性の悪い光記録媒体に対して、より広い記録パワーマージンで記録することができるとともに、各半径位置で最適な記録パワーで記録することができる。
【００７１】
請求項３記載の発明の光記録媒体によれば、最内周のパワーキャリブレーション領域で設定された記録パワーで、全面を記録する非Ｒｕｎｎｉｎｇ−ＯＰＣ記録方式で情報の記録の行われる光記録媒体を、予め各光記録媒体の種類毎に当該種類の光記録媒体の記録感度・記録特性に応じた各半径位置での記録パワーの補正値を設定し、当該設定した記録パワーの補正値に基づいて、半径位置で前記記録パワーを補正して情報の記録が行われているので、半径方向で記録感度、記録特性マージンの均一性の悪い光記録媒体に対して、より広い記録パワーマージンで記録が行われるとともに、各半径位置で最適な記録パワーで記録が行われ、記録品質を向上させることができる。
【図面の簡単な説明】
【図１】本発明の記録装置、記録方法及び光記録媒体の一実施の形態を適用した記録装置の概略構成図。
【図２】図１の光ディスクの構造図。
【図３】図１の記録装置の不揮発性メモリに格納されている各光ディスク毎の半径位置での記録パワーと記録パワー補正値の一例を示す図。
【図４】本発明の記録装置による記録パワー補正処理を行う記録処理を示すフローチャート。
【図５】本発明の記録装置、記録方法及び光記録媒体を適用した実施例で用いるＣＤ−Ｒの内周、中周及び外周部の記録特性としての記録パワーと３Ｔランドジッタの関係を示す図。
【図６】本発明の記録装置、記録方法及び光記録媒体を適用した実施例で用いるＣＤ−Ｒの内周、中周及び外周部の記録特性としての記録パワーとβの関係を示す図。
【図７】本発明の記録装置、記録方法及び光記録媒体を適用した実施例で用いるＣＤ−Ｒの内周、中周及び外周部の記録特性としての記録パワーと１１Ｔ変調度の関係を示す図。
【図８】本発明の記録装置、記録方法及び光記録媒体を適用した実施例で用いる３種類のＣＤ−Ｒの各特性が各半径位置で許容される記録パワーの範囲を示す図。
【図９】本発明の記録装置、記録方法及び光記録媒体を適用した実施例で用いる３種類のＣＤ−Ｒの各特性が各半径位置での補正記録パワーの一例を示す図。
【図１０】本発明の記録装置、記録方法及び光記録媒体を適用した実施例で用いる３種類のＣＤ−Ｒの記録パワーの補正を行った場合と補正を行わなかった場合の記録パワーのマージン幅を示す図。
【符号の説明】
１  記録装置
２  回転駆動系
３  回転制御系
４  ドライブコントローラ
５  不揮発性メモリ
６  光ピックアップ
７  ＬＤ制御系
８  モータ制御系
９  信号処理系
１０  光ディスク
１１  ＰＣＡ領域（パワーキャリブレーション領域）
１２  ＴＯＣ領域
１３  情報領域（Information 領域）
１４  リードアウト（Lead-out）領域
１５  光ディスク情報記録領域
【図１】
0003752622.tif 000002
【図２】
0003752622.tif 000003
【図３】
0003752622.tif 000004
【図４】
0003752622.tif 000005
【図５】
0003752622.tif 000006
【図６】
0003752622.tif 000007
【図７】
0003752622.tif 000008
【図８】
0003752622.tif 000009
【図９】
0003752622.tif 000010
【図１０】
0003752622.tif 000011